(57)【要約】      （修正有）【課題】径寸法の異なる同軸ケーブルに対応可能で、作業性やシールド性能の良好な同軸プラグコネクタを提供する。【解決手段】同軸プラグコネクタ１は、一端に同軸コネクタ挿入部１２を有し、他端に同軸ケーブル挿入部１３を有する外部導体１０と、外部導体１０内に同心状に配置される中心導体２０と、中心導体２０を外部導体１０内に保持する保持部材３０と、外部導体１０が収納される保護ケース５０と、外部導体１０を保護ケース５０内において固定する固定部材４０とを備え、外部導体１０の他端は、一端よりも細径に形成されているとともに、先端側は複数に分割されて接触片１３ａを形成しており、複数の接触片１３ａは基端側から先端側へ向かうに従って拡開された状態となっている。【選択図】図１
0003216065.tif 000002
【実用新案登録請求の範囲】
【請求項１】
一端に同軸コネクタの挿入部を有し、他端に同軸ケーブルの挿入部を有する外部導体と、
前記外部導体内に同心状に配置される中心導体と、
前記中心導体を外部導体内に保持する保持部材と、
前記外部導体が収納される保護ケースと、
前記外部導体を保護ケース内において固定する固定部材とを備え、
前記外部導体の他端は、一端よりも細径に形成されているとともに、先端側は複数に分割されて接触片を形成しており、
前記複数の接触片は基端側から先端側へ向かうに従って拡開された状態となっている
ことを特徴とする同軸プラグコネクタ。
【請求項２】
前記固定部材は、外部導体の中央部分を嵌合・固定する第１固定部と、
前記外部導体を接触片の基端部分において締付・固定する第２固定部と、
前記外部導体の他端に挿入した同軸ケーブルと外部導体の接触片とを一体に締付・固定する第３固定部と、
を備えることを特徴とする請求項１記載の同軸プラグコネクタ。
【請求項３】
前記固定部材の第３固定部には、同軸ケーブルの外被に食い込む爪部を設けることを特徴とする請求項１または２記載の同軸プラグコネクタ。
【考案の詳細な説明】
【技術分野】
【０００１】
本考案は、デジタル衛星放送等の高周波信号等を伝送する際に使用される同軸ケーブルの先端に設けられる同軸プラグコネクタに関する。
【背景技術】
【０００２】
同軸ケーブルは一般に、銅線等からなる中心導体の外周に、ポリエチレン等からなる絶縁体と、編組線からなる外部導体と、塩化ビニル等からなる外被とを同心状に設けることによって構成されている。また、最近では、低損失タイプとして、絶縁体と外部導体との間にアルミ箔付テープからなるシールド層を設けたものもある。更に、同軸ケーブルには、種々の径寸法のものが存在する。
【０００３】
前記同軸ケーブルの先端に設けられる同軸プラグコネクタとしては、例えば、特許文献１に記載されているものがある。特許文献１に記載されている同軸プラグコネクタは、円筒電極が一端部に形成され、他端部に同軸ケーブルの外部導体と内部絶縁体との間に差し込まれるケーブル挿入部が形成された外部導体金具と、前記外部導体金具の円筒電極内の中心位置に一端部が配置され、他端部に同軸ケーブルの中心導体との接続部が設けられたコンタクトピンと、前記コンタクトピンを前記外部導体金具の内部に絶縁を確保した状態で保持する内部絶縁体と、同軸ケーブルを前記外部導体金具に対して固定するための固定部材と、前記コンタクトピン及び前記外部導体金具を保護する外部絶縁ケースを備えている。
特許文献１に記載されている同軸プラグコネクタにおいては、外部導体金具のケーブル挿入部を、同軸ケーブルの径に合わせて変形することが可能な左右一対の可撓片によって構成することで、径の異なる複数種類の同軸ケーブルの接続に対応可能としている。また、前記可撓片を同軸ケーブルの外部導体と内部絶縁体との間に挿入し、外部導体の露出部分を可撓片の根元部分に配置することにより、前記一対の可撓片間の隙間を外部導体にて覆うとともに、この状態で、前記固定部材を締め付けて同軸ケーブルを固定することにより、遮蔽効果を高めるようにしている。
【先行技術文献】
【特許文献】
【０００４】
【特許文献１】特許第４１２４７４８号公報
【考案の概要】
【考案が解決しようとする課題】
【０００５】
然るに、特許文献１に記載されている同軸プラグコネクタにおいては、外部導体金具のケーブル挿入部が、同軸ケーブルの径寸法に合わせて変形することが可能な左右一対の可撓片によって構成されており、しかも、前記可撓片は、先端へ向かうに従って細くなる形状であるため、前記可撓片を同軸ケーブルの外部導体と内部絶縁体との間に挿入する際に、前記外部導体に引っ掛かり易く、この結果、可撓片自体が変形（折れ曲がる等）して挿入作業に支障を来したり、外部導体にヨレが生じてシールド性に悪影響を及ぼしたりするおそれがあった。また、外部導体と内部絶縁体との間にシールド層が設けてある場合、可撓片を挿入する際に擦れて前記シールド層が削られたり剥がれたりする可能性もあった。このため、可撓片を同軸ケーブルの外部導体と内部絶縁体との間に挿入する作業は、前記のような種々の弊害が発生しないよう慎重に行わなければならず、作業に手間が掛かるという問題があった。
【０００６】
本考案は前記種々の問題点に鑑み、径寸法の異なる同軸ケーブルに対応可能で、作業性やシールド性能の良好な同軸プラグコネクタを提供することを目的とする。
【課題を解決するための手段】
【０００７】
前記の課題を解決するために、本考案の同軸プラグコネクタは、一端に同軸コネクタの挿入部を有し、他端に同軸ケーブルの挿入部を有する外部導体と、前記外部導体内に同心状に配置される中心導体と、前記中心導体を外部導体内に保持する保持部材と、前記外部導体が収納される保護ケースと、前記外部導体を保護ケース内において固定する固定部材とを備え、前記外部導体の他端は、一端よりも細径に形成されているとともに、先端側は複数に分割されて接触片を形成しており、前記複数の接触片は基端側から先端側へ向かうに従って拡開された状態となっていることを特徴としている。
また、前記固定部材は、外部導体の中央部分を嵌合・固定する第１固定部と、前記外部導体を接触片の基端部分において締付・固定する第２固定部と、前記外部導体の他端に挿入した同軸ケーブルと外部導体の接触片とを一体に締付・固定する第３固定部とを備えることを特徴とする。
更に、前記固定部材の第３固定部には、同軸ケーブルの外被に食い込む爪部を設けることを特徴としている。
【考案の効果】
【０００８】
本考案によれば、同軸ケーブルの挿入部である外部導体の他端は、先端側が複数に分割されて接触片を形成しており、前記複数の接触片は基端側から先端側へ向かうに従って拡開された状態となっているので、前記同軸ケーブルは、編組線等を露出させた状態であっても外部導体の他端に対して円滑・容易に挿入し得るとともに、径寸法の異なる同軸ケーブルであっても挿入・接続することが可能である。しかも、同軸ケーブルの絶縁体と編組線との間にアルミ箔付テープからなるシールド層が設けられている場合でも、前記同軸ケーブルを外部導体の他端へ挿入する際に、前記シールド層が削られたり剥がれたりすることがない。
また、外部導体を保護ケース内において固定する固定部材は、第１〜第３固定部を備え、前記第１固定部に外部導体の中央部分を嵌合して固定するとともに、第２固定部により前記外部導体を接触片の基端（根元）部分において締付・固定するようにしているので、前記外部導体が２分割された部材を組み合わせて構成される場合でも、良好に接合状態を保持することができる。更に、外部導体の他端に先端部を挿入した同軸ケーブルと前記外部導体の接触片とを第３固定部により一体に締め付けると、前記接触片が拡開された状態から中心軸方向へ変形（縮閉）し、前記同軸ケーブルの編組線の外側に、これを覆う状態で密着して両者が電気的に接続されるので、同軸ケーブルの接続部における良好なシールド性能を得ることができる。
更に、固定部材の第３固定部には爪部が設けられており、前記第３固定部により同軸ケーブルと外部導体の接触片とを一体に締め付けると、前記爪部が同軸ケーブルの外被に食い込み、前記同軸ケーブルを抜脱不能に固定するので、引張強度を向上させることができる。
【図面の簡単な説明】
【０００９】
【図１】本考案の同軸プラグコネクタを示す断面図である。
【図２】本考案の同軸プラグコネクタを示す図であり、（ａ）は図１におけるＡ矢視図、（ｂ）は図１におけるＢ矢視図、（ｃ）は図１のＣ−Ｃ線における断面図、（ｄ）は図１のＤ−Ｄ線における断面図である。
【図３】本考案の同軸プラグコネクタを示す図であり、上部及び下部カバーを開放した状態の斜視図である。
【図４】同じく、上部及び下部カバーを開放した状態の平面図である。
【図５】外部導体を示す図であり、（ａ）は外部導体の斜視図、（ｂ）は導体金具の側面図、（ｃ）は外部導体の底面図、（ｄ）は外部導体の背面図である。
【図６】固定部材を示す図であり、（ａ）は固定部材の斜視図、（ｂ）は固定部材の断面図である。
【図７】保護ケースを示す図であり、（ａ）は上部及び下部カバーを開放した状態の斜視図、（ｂ）は同じく、平面図、（ｃ）は同じく、側面図である。
【図８】本考案の同軸プラグコネクタに同軸ケーブルを接続する前の状態を示す斜視図である。
【図９】本考案の同軸プラグコネクタに同軸ケーブルを接続する動作を説明するための図であり、（ａ）は外部導体のケーブル挿入部に同軸ケーブルを挿入した状態を示す平面図、（ｂ）は同じく、要部断面図である。
【図１０】本考案の同軸プラグコネクタに同軸ケーブルを接続する動作を説明するための図であり、（ａ）は固定部材の第３固定部を締め付けた状態を示す平面図、（ｂ）は同じく、要部断面図、（ｃ）は同じく、斜視図である。
【図１１】本考案の同軸プラグコネクタに同軸ケーブルを接続した状態を示す斜視図である。
【図１２】本考案の他の実施形態において、同軸プラグコネクタに同軸ケーブルを接続する前の状態を示す斜視図である。
【図１３】本考案の他の実施形態において、同軸プラグコネクタに同軸ケーブルを接続する動作を説明するための図であり、（ａ）は外部導体のケーブル挿入部に同軸ケーブルを挿入した状態を示す平面図、（ｂ）は同じく、要部断面図である。
【図１４】本考案の他の実施形態において、同軸プラグコネクタに同軸ケーブルを接続する動作を説明するための図であり、（ａ）は固定部材の第３固定部を締め付けた状態を示す平面図、（ｂ）は同じく、要部断面図、（ｃ）は同じく、斜視図である。
【図１５】本考案の他の実施形態において、同軸プラグコネクタに同軸ケーブルを接続した状態を示す斜視図である。
【考案を実施するための形態】
【００１０】
以下、本考案を実施するための形態について、図１ないし図１５を参照しながら具体的に説明する。図１は本考案の同軸プラグコネクタを示す断面図、図２（ａ）は図１におけるＡ矢視図、（ｂ）は図１におけるＢ矢視図、（ｃ）は図１のＣ−Ｃ線における断面図、（ｄ）は図１のＤ−Ｄ線における断面図、図３は本考案の同軸プラグコネクタにおいて、上部及び下部カバーを開放した状態の斜視図、図４は同じく、平面図である。
【００１１】
図１ないし図４に本考案に係る同軸プラグコネクタ１の一例を示す。同軸プラグコネクタ１は、中空Ｌ字状の外部導体１０と、前記外部導体１０内に同心状に配設されるＬ字状の中心導体２０と、前記中心導体２０を外部導体１０内に保持するＬ字状の保持部材３０と、前記外部導体１０が収納される保護ケース５０と、前記外部導体１０を保護ケース５０内において固定する固定部材４０とを備えて構成されている。
【００１２】
以下、前記各構成部材の詳細について、図１及び図５ないし図７を参照しながら説明する。
前記外部導体１０は、図５に示すように、対称な形状に２分割してなる一対の導体金具１１，１１を組み合わせることにより構成されている。前記外部導体１０の一端には同軸コネクタを挿入可能な径寸法で円筒状のコネクタ挿入部１２が設けられている。また、前記外部導体１０の他端には、コネクタ挿入部１２よりも細径な円筒状のケーブル挿入部１３が設けられている。前記ケーブル挿入部１３の先端側は、複数に分割されて接触片１３ａを形成しており、前記接触片１３ａは通常、基端（根元）から先端へ向かうに従って拡開された状態となっている。そして、前記拡開された状態の接触片１３ａは、後述する固定部材４０の第３固定部４３で締め付けることにより、それぞれケーブル挿入部１３の中心軸方向へ変形（縮閉）可能となっている。
【００１３】
前記中心導体２０は、図１に示すように、バネ性を有する金属部材を曲成することによりＬ字状に形成されており、一端には同軸コネクタと接続されるピン部２１が、他端には同軸ケーブルＣの芯線（中心導体）Ｃ１（図９（ｂ）参照）が接続されるクランプ状の挟着部２２がそれぞれ設けられている。
【００１４】
前記保持部材３０は、図１に示すように、外部導体１０の内部形状と合致するＬ字状に形成されており、例えば、対称な形状に２分割した一対の樹脂製部材を組み合わせることにより構成されている。前記保持部材３０の内部には、中心導体２０の挟着部２２を保持するための保持部３１が設けられているとともに、外部導体１０のコネクタ挿入部１２側に位置する端部には、中心導体２０のピン部２１が挿通される挿通穴３２が、外部導体１０のケーブル挿入部１３側に位置する端部には、同軸ケーブルＣの芯線（中心導体）Ｃ１（図９（ｂ）参照）が挿入される挿入穴３３がそれぞれ設けられている。
【００１５】
前記固定部材４０は金属製部品であり、図６に示すように、外部導体１０の中央部分を嵌合・固定する半円状の第１固定部４１と、前記ケーブル挿入部１３の先端側を複数に分割して形成した接触片１３ａの根元部分を締付・固定するＵ字状の第２固定部４２と、前記接触片１３ａの先端側及びケーブル挿入部１３に挿入される同軸ケーブルＣ（図１０参照）を一体に締付・固定するＵ字状の第３固定部４３と、固定部材４０を保護ケース５０に固定するための係止片４４ａ，４４ｂとを備えて構成されている。前記第２，第３固定部４２，４３の開放端縁には、締め付け作業を行い易くするための突片４２ａ，４３ａが外側へ向けて突設されている。また、前記第３固定部４３の軸方向端部には、同軸ケーブルＣの外被Ｃ４（図１０参照）に食い込む一対の爪部４３ｂが相対する状態で突設されている。
【００１６】
前記保護ケース５０は樹脂製部品であり、図７に示すように、ケース本体５１、上部カバー５２及び下部カバー５３によって構成されている。前記上部カバー５２はケース本体５１の上部に蝶番５４ａを介して開閉自在に連結されており、前記下部カバー５３はケース本体５１の下部側面に蝶番５４ｂを介して開閉自在に連結されている。ケース本体５１上部の両側部には、上部カバー５２内面の両側部に設けた係止部５２ａと係合するフック５１ａが設けられており、ケース本体５１下部の一側部には、下部カバー５３の一側部に設けたフック５３ａと係合する係止部５１ｂが設けられている。ケース本体５１の上部外面には、外部導体１０のコネクタ挿入部１１の外周を覆う形状のボス部５１ｃが一体的に形成されている。また、ケース本体５１の上部内面（ボス部５１ｃの近傍）には、外部導体１０のケーブル挿入部１３、固定部材４０の第１固定部４１及び係止片４４ａが係合する凹部を備えた保持部５１ｄが設けられているとともに、ケース本体５１の下部には、固定部材４０に設けた係止片４４ｂが差し込まれる貫通孔５１ｅが設けられている。上部カバー５２の内面には、外部導体１０上面と当接して保持するリブ５２ｂと、ケース本体５１の保持部５１ｄに設けた穴部５１ｆに挿入されるピン５２ｃが設けられている。なお、５５ａ，５５ｂはケース本体５１及び下部カバー５３の下端部にそれぞれ対向する状態で設けた凹部であり、これら凹部５５ａ，５５ｂによって同軸ケーブルＣの挿通孔５５（図１，図２（ｂ）及び図１１参照）が形成される。
【００１７】
以上のように構成された同軸プラグコネクタ１を組立てる場合は、まず、図１に示すように、中心導体２０を、そのピン部２１を保持部材３０に設けた挿通穴３２に挿通し、かつ、挟着部２２を保持部３１に保持させた状態で、保持部材３０内に収納する。
【００１８】
次に、外部導体１０を２分割した状態で、一方の導体金具１１に保持部材３０を収納するとともに、前記一方の導体金具１１に他方の導体金具１１を組み合せることにより、外部導体１０を組み立てる。また、固定部材４０に設けた係止片４４ｂを、保護ケース５０のケース本体５１に設けた貫通孔５１ｅに差し込むとともに（図１及び図２（ａ）参照）、固定部材４０の第１固定部４１及び係止片４４ａを、ケース本体５１に設けた保持部５１ｄの凹部にそれぞれ係合させることにより（図１，３，４参照）、前記固定部材４０をケース本体５１に保持させる。
【００１９】
つづいて、外部導体１０のコネクタ挿入部１２を、ケース本体５１に設けたボス部５１ｃに挿入するとともに（図１及び図２（ｄ）参照）、外部導体１０の中央部分（屈曲部付近からケーブル挿入部１３にかけての部分）を、ケース本体５１に設けた保持部５１ｄの凹部及び固定部材４０の第１固定部４１にそれぞれ嵌合・固定する（図３，４参照）。また、これと同時に、外部導体１０におけるケーブル挿入部１３の接触片１３ａの基端（根元）部分を、固定部材４０の第２固定部４２に嵌合し、かつ、前記第２固定部４２の開放端同士を互いに相対する方向へ変形させる（締め付ける）ことにより、前記外部導体１０を接触片１３ａの基端（根元）部分において締付・固定する（図３，４参照）。この結果、一対の導体金具１１，１１からなる外部導体１０は、固定部材４０の第１，第２固定部４１，４２によって強固に固定されるので、接合部分に隙間が生じるのを防ぐことができる。なお、この時点で、外部導体１０の接触片１３ａの先端は、拡開した状態で固定部材４０の第３固定部４３の内側に位置している。
【００２０】
この後、蝶番５４ａを介して上部カバー５２をケース本体５１の上部側へ被せ、前記ケース本体５１に設けた係止フック５１ａ，５１ａを上部カバー５２に設けた係止部５２ａ，５２ａに係止させるとともに（図２（ｄ）参照）、上部カバー５２に設けたピン５２ｃ，５２ｃをケース本体５１の保持部５１ｄに設けた穴部５１ｆに挿嵌する。また、蝶番５４ｂを介して下部カバー５３をケース本体５１の下部側へ被せ、前記下部カバー５３に設けた係止フック５３ａをケース本体５１に設けた係止部５１ｂに係止させる（図２（ｃ）参照）。この結果、前記外部導体１０は固定部材４０によって固定した状態で保護ケース５０内に収納・保持される。
【００２１】
次に、前記のように構成した同軸プラグコネクタ１に同軸ケーブルＣを接続する場合について、図８ないし図１１を参照しながら説明する。まず、事前準備として、図８に示すように、同軸ケーブルＣ先端部の外被Ｃ４を剥いで芯線（中心導体）Ｃ１、絶縁体Ｃ２及び編組線（外部導体）Ｃ３をそれぞれ所定寸法で露出させる（図８において、絶縁体Ｃ２は編組線Ｃ３によって隠れている）。
【００２２】
つづいて、図８，９に示すように、同軸プラグコネクタ１の保護ケース５０の下部カバー５３を開放した状態で、芯線Ｃ１、絶縁体Ｃ２及び編組線Ｃ３を露出させた同軸ケーブルＣの先端部を、固定部材４０の第３固定部４３の軸方向端部から、当該第３固定部４３に向いて開口している外部導体１０のケーブル挿入部１３に挿入するとともに、前記同軸ケーブルＣの芯線Ｃ１を保持部材３０の挿入穴３３に通し、当該保持部材３０内に保持されている中心導体２０の挟着部２２に挟持させる。この際、前記ケーブル挿入部１３の先端側は、複数に分割されて接触片１３ａを形成し、かつ、前記接触片１３ａは先端へ向かうに従って拡開されているので、編組線Ｃ３等を露出させた状態の同軸ケーブルＣを円滑・容易にケーブル挿入部１３へ挿入することができる。また、前記同軸ケーブルＣの絶縁体Ｃ２及び編組線Ｃ３は、前記接触片１３ａの中間位置付近まで挿入される。
【００２３】
この後、前記外部導体１０のケーブル挿入部１３に先端部を挿入した同軸ケーブルＣと、前記ケーブル挿入部１３の先端側に形成された接触片１３ａとを、固定部材４０の第３固定部４３により一体に締付・固定する。即ち、前記のように、外部導体１０のケーブル挿入部１３に同軸ケーブルＣの先端部を挿入した状態で、固定部材４０の第３固定部４３の開放端同士を互いに相対する方向へ変形させる（締め付ける）と、図１０に示すように、前記第３固定部４３の内側に位置している外部導体１０の接触片１３ａが、拡開された状態から中心軸方向へ変形（縮閉）し、前記同軸ケーブルＣの編組線Ｃ３の外側に、これを覆う状態で密着・固定されるので、前記接触片１３ａと編組線Ｃ３とは電気的に接続された状態となり、また、これと同時に、前記同軸ケーブルＣの外被Ｃ４が第３固定部４３によって締め付けられ、かつ、前記第３固定部４３の軸方向端部に突設した爪部４３ｂ，４３ｂが同軸ケーブルＣの外被Ｃ４に食い込むことで、前記接触片１３ａと同軸ケーブルＣとは一体に固定される。このように、固定部材４０の第３固定部４３により同軸ケーブルＣと接触片１３ａとを一体に締付・固定することで、同軸ケーブルＣの編組線Ｃ３は接触片１３ａによって外部から遮蔽されるので、同軸ケーブルＣの接続部分におけるシールド性能を高めることができるとともに、第３固定部４３に設けた爪部４３ｂが同軸ケーブルＣの外被Ｃ４に食い込むことで、同軸ケーブルＣが抜脱不能に固定されるので、同軸ケーブルＣの引張強度を向上させることができる。
【００２４】
前記のように、同軸ケーブルＣの接続が終了したら、保護ケース５０の下部カバー５３を閉じて、一側部に設けたフック５３ａをケース本体５１の一側部に設けた係止部５１ｂに係止させることにより、下部カバー５３をケース本体５１に固定する（図１１参照）。これによって、外部導体１０や固定部材４０等は外部から保護することができるため、外部からの衝撃等を受けても外部導体１０や固定部材４０等の変形・破損を防ぐことが可能となる。
【００２５】
なお、本考案の同軸プラグコネクタ１においては、外部導体１０のケーブル挿入部１３の先端が、複数の接触片１３ａに分割され、かつ、前記接触片１３ａが先端へ向かうに従って拡開されており、同軸ケーブルＣの先端部をケーブル挿入部１３に挿入した状態で、固定部材４０の第３固定部４３を締め付けて、拡開状態の接触片１３ａを縮閉させるようにしているので、種々の外径の同軸ケーブルの接続に対応することが可能となる。
【００２６】
図１２ないし図１５に、上記で説明した同軸ケーブルＣよりも外径が細い同軸ケーブルＣｓに適用した場合の具体例を示す。この際、同軸ケーブルＣｓの先端部は、上記で説明した同軸ケーブルＣよりも広い範囲で外被Ｃｓ４を剥いで絶縁体Ｃｓ２及び編組線Ｃｓ３を露出させる。これは、図１３（ｂ）に示すように、前記絶縁体Ｃｓ２及び編組線Ｃｓ３がケーブル挿入部１３における接触片１３ａの基端（根元）付近まで挿入されるためである。なお、具体的な同軸ケーブルＣｓの接続作業の流れについては、上記で説明した同軸ケーブルＣの場合と同様であるため、詳細な説明は省略する。
【００２７】
なお、上記実施形態においては、中空Ｌ字状に形成した外部導体１０を備えた同軸プラグコネクタ１に本考案を適用した場合を一例として説明しているが、これに限らず本考案は、中空円筒状（直線状）に形成した外部導体を備えた同軸プラグコネクタにも適用可能である。
【符号の説明】
【００２８】
１  同軸プラグコネクタ
１０  外部導体
１２  コネクタ挿入部
１３  ケーブル挿入部
１３ａ  接触片
２０  中心導体
２１  ピン部
２２  挟着部
３０  保持部材
４０  固定部材
４１  第１固定部
４２  第２固定部
４３  第３固定部
４３ｂ  爪部
４４ａ，４４ｂ  係止片
５０  保護ケース
５１  ケース本体
５２  上部カバー
５３  下部カバー
Ｃ，Ｃｓ  同軸ケーブル
Ｃ１，Ｃｓ１  芯線（中心導体）
Ｃ２，Ｃｓ２  絶縁体
Ｃ３，Ｃｓ３  編組線（外部導体）
Ｃ４，Ｃｓ４  外被
【図１】
0003216065.tif 000003
【図２】
0003216065.tif 000004
【図３】
0003216065.tif 000005
【図４】
0003216065.tif 000006
【図５】
0003216065.tif 000007
【図６】
0003216065.tif 000008
【図７】
0003216065.tif 000009
【図８】
0003216065.tif 000010
【図９】
0003216065.tif 000011
【図１０】
0003216065.tif 000012
【図１１】
0003216065.tif 000013
【図１２】
0003216065.tif 000014
【図１３】
0003216065.tif 000015
【図１４】
0003216065.tif 000016
【図１５】
0003216065.tif 000017